(57)【要約】【課題】従来の単なる包装物の物を包む一次利用だけにとどまらず、二次利用を広げることで使い捨ての意識改革を進めることで資源の有効利用につなげるＱＲコード付きの工業包装および商業包装方法を得ることにある。【解決手段】本発明は、（［請求項１］の構成要件）海外との商品交流は広がり、包装された商品の受取りは個人消費者又は海外からの輸入商品をチェックする航空、船舶会社で輸送荷物に関与するスタッフの安全確保は極めて重要であり、単なる包装という概念を超えたＱＲコード付きの工業包装および商業包装方法の活用を構成している。【選択図】図４
2014213944.tif 000002
【特許請求の範囲】
【請求項１】
少なくとも包装する所定箇所に所有者自身、又は物品販売者が制作の情報入力されたＱＲコードは、印刷、又は透明素材で保護された強固にシール貼りされ、
水濡れにも防御されるように工夫された頑強なＱＲコード付き包装で、商品および告知する内容に応じて絵柄が多様なデザイン表現とし、
ＱＲコードを携帯電話、又はその他のスキャナ機器により、
パソコンにスキャンすることができることであって、
包装された商品のコンテンツ配信サービスを提供するウェブサイトを示す情報が、
ＱＲコードに入力された情報に基づいてコンテンツの特定ができ、
包装された中身の全ての説明が包装を開けなくても中身を確認できるようにすることで配送に関わる人や消費者のセキュリティーの面に活用できるようにしたことを特徴とするＱＲコード付きの工業包装および商業包装方法。
【請求項２】
包装に表現するデザインは点字の凹凸表現含む工業製品、動物、魚介類、植物、食糧品、飲料商品、スポーツ、絵画、音楽、芸能、書籍、医薬品など多目的表現であり、ＱＲコードに盛り込まれたコンテンツ配信サービスは色別、音声、画像、動画などを有することを特徴とする請求項１に記載のＱＲコード付きの工業包装および商業包装方法。
【請求項３】
工業包装における包装で、梱包者のあらかじめ登録されたＵＲＬ情報又はＩＤ情報が包装された商品の中身の情報とともに、
ＱＲコードに印刷又はシールで貼られていることで配送先の情報確認が明確になり、
船舶、航空、自動車、貨物列車、各種乗り物輸送における梱包された荷物の受け渡しに関わる人のセキュリティー面で活用できるようにしたことを特徴とする請求項１、２に記載のＱＲコード付きの工業包装および商業包装方法。
【請求項４】
包装に表現するダンボール箱および包装紙のデザインは、
平面、丸、四角、立方体、球体など表現方法は限定されることなくＱＲコードに印刷又はシールで貼ることのできる素材であれば、
包装に使用する素材は包装する商品に適切な包装素材を選択し、
紙、ダンボール箱、木製、スチール、布、ビニールおよびナイロン素材を含む樹脂製品など限定されないことを特徴とする請求項１、２又は３に記載のＱＲコード付きの工業包装および商業包装方法。
【請求項５】
工業製品および農業製品、漁業製品、飲料水を含む食糧、動物、植物、花、昆虫など、あらゆる包装において、あらかじめ企業間でのインターネット情報交換により、
ＱＲコードに印刷された商品説明情報とともにＵＲＬ情報又はＩＤ情報が照合できたもののみ受け取ることができるようにしたことを特徴とする請求項１、２、３又は４に記載のＱＲコード付きの工業包装および商業包装方法。
【請求項６】
本発明で述べている包装とは物品個々の包装、包装貨物の内部の包装、包装貨物の外部の包装の３種類に分類を示し、また、輸送を目的としたものを工業包装、販売を目的としたものを商業包装、さらに工業包装を梱包として広く意味するものであることを特徴とする請求項１、２、３、４又は５に記載のＱＲコード付きの工業包装および商業包装方法。
【請求項７】
包装する所定箇所に印刷又はシール貼りされたＱＲコード付き包装で、
ＱＲコードを携帯電話、又はその他のスキャナ機器により、
パソコンにスキャンすることができ、
包装紙、又はダンボール箱に楽譜およびピアノ鍵盤が印刷された絵柄のメロディーが音声、映像で再生できることを特徴とする請求項１、２、３、４、５又は６に記載のＱＲコード付きの工業包装および商業包装方法。
【請求項８】
包装する所定箇所に印刷又はシール貼りされたＱＲコード付き包装に表現された絵柄に合わせた音声、映像がＱＲコードを携帯電話やパソコンにスキャンすることができ、商品および告知する内容に応じて絵柄が多様なデザイン表現とし、包装に表現する絵柄は限定されないことを特徴とする請求項１、２、３、４、５、６又は７に記載のＱＲコード付きの工業包装および商業包装方法。
【発明の詳細な説明】
【技術分野】
【０００１】  包装紙には多様な絵柄、又は紋様が印刷されているものがあるが、ダンボール箱および包装紙の活用方法に関する。
【背景技術】
【０００２】  包装は、箱を包むものから立体物を包むもの、平面の包装紙を紙袋に加工して日常生活で活用しているのである。【０００３】  従来の包装は、製品を単なる商品保護や美的表現として包む一次利用にとどまり、ＱＲコード付きの包装で利用範囲を広げることで海外からの輸入品又は海外への輸出品の荷物検査において包装を開けなくても中身を確認できるようにすることで、配送に関わる人や消費者のセキュリティーの面に活用できるようにする発想がなかったのである。
【先行技術文献】
【特許文献】
【０００４】  日本の特許文献１、物を包装袋で収納し、電子レンジで加熱することができるレトルト食品等の調理済み食品を密封充填した包装袋を提供している。【０００５】  日本の特許文献２、紙の持つ特徴を十分に活かすことにある。即ち、薄くて、強度のある不織布と紙とを十分な接着力で貼り合わせることにより、紙の外観品位を保ちつつ、水にぬれても強度のある包装紙を提供している。【０００６】  これら特許文献には、包装紙が熱を加えても燃えない、破けない、水にぬれても破けない素材の包装紙を提供するものであり、包装紙に印刷された絵柄を通して、２次的なものから３次元のＱＲコードをプリントして携帯電話で音声、映像認識させる方法は明記されていない。【０００７】  さらに、本発明のダンボール箱および包装紙において、インターネットで世界の製品が自由に購入することができ、また、自由化貿易が進むとなれば、消費者は、より海外からの商品を求めることが増えるのである。【０００８】  このことから、包装された中身の全ての説明を、ＱＲコードに情報としてダンボール箱および包装紙に添付し配送に関わる人や消費者のセキュリティーの面に活用できるようにしたことを特徴とするなどの意識は盛り込まれていないことで技術的に全く異なるのである。【０００９】
【特許文献１】特許第４８７３１２４号
【特許文献２】特許第４９９９９０６号
【発明の概要】
【発明が解決しようする課題】
【００１０】  本発明では、単なる平面的な包装紙ではなく、又包装紙を加工して紙袋にするだけでは、物を包む、製品を入れる紙袋とするだけで、すぐに不要物として破棄することが多すぎるのである。
【００１１】  包装された中身の説明を、ＱＲコードに情報として意識の義務付けに発展できれば、受け取り側も配送する側双方にとって、配送に関わる人や消費者のセキュリティーの面でも活用範囲は拡大すると考える。
【００１２】  海外との商品交流は広がり、包装された商品の受取りは個人消費者又は海外からの輸入商品をチェックする航空、船舶会社又はその他の荷物輸送に関与するスタッフの安全確保は極めて重要であり、単なる包装という概念を超えたＱＲコード付きの工業包装および商業包装方法の活用を目的としている。
【課題を解決するための手段】
【００１３】  上記目的を達成するために、本発明は（［請求項１］の構成要件）とでＱＲコード付きの工業包装および商業包装方法を構成している。
【発明の効果】
【００１４】  以上の説明から明らかなように、本発明にあっては次に列挙する効果が得られる。
（１）（［請求項１］の構成要件）とで構成されているので、包装紙に活用する一例として、楽譜だけでなくピアノ鍵盤の美的表現を盛り込むことで包装紙の独自性が生まれ、さらには包装紙の絵柄と符合したＱＲコードは印刷、又は透明素材で保護された強固にシール貼りされ、水濡にも防御されるようにし、情報入力されたＱＲコードを所定箇所に印刷又はシール貼りすることで携帯電話やパソコンにスキャンすることで、本発明の一例図として包装紙に印刷された楽譜、ピアノ鍵盤のメロディー、又は包装物の内容に合わせたデザイン表現の音声又は画像を再生できるようにする。
【００１５】  （２）前記（１）によって所定箇所に印刷又はシール貼りされた本発明のＱＲコード付き包装は、コンテンツ配信サービスを提供するウェブサイトを示すＵＲＬ情報とＩＤ情報を含むデータコードが予め印刷され、該ＩＤ情報に基づいてコンテンツの特定ができ包装された中身の全ての説明を、ＱＲコードに情報としてダンボール箱および包装紙になどに添付し配送に関わる人や消費者のセキュリティーの面に活用できるようにする目的を達成することができる。
【００１６】  （３）請求項２至る請求項８も前記（１）〜（２）と同様な本発明の包装紙は、音楽の楽譜、又はピアノ鍵盤の絵柄だけでなく、伝えたい販促物の多目的情報を伝える絵柄を印刷することで、この絵柄と連動したＱＲコードを所定箇所に印字又はシール貼りすることで携帯電話やパソコンにスキャンすることで包装紙に印刷された音声又は画像を再生できる効果が得られる。
【００１７】  従来の単なる包装物を包む一次利用だけにとどまらず、ＱＲコード付きの工業包装および商業包装方法。二次利用を広げることで海外からの輸入品又は海外への輸出品の荷物検査において包装を開けなくても中身を確認できるようにすることで、配送に関わる人や消費者のセキュリティーの面に活用できるようにしたことを特徴とする。
【００１８】  本発明の包装に表現するデザインは、工業製品、農業、漁業、動物、魚介類、植物、食糧品、飲料商品、スポーツ、絵画、音楽、芸能、書籍、医薬品など多目的に表現でき、ＱＲコードに盛り込まれたコンテンツ配信サービスは色別、音声、画像、動画などを有しており、その表現方法は限定されない。
【００１９】  包装された中身の全ての説明を、ＱＲコードの情報をダンボール箱および包装紙に印刷又はシール貼りして、包装中身の情報公開の義務化につながることができれば、配送に関わる人や消費者のセキュリティーの面でも大いに資することになると考える。
【００２０】  これらの活用は、包装紙を単なる包み紙および紙袋、又は収納のダンボールケースにとどまらず、音声や映像の再現へと発展させることにある。この応用は木箱のケースに本発明の包装紙を貼り付けることで、同じような再現性を可能にできるのである。
【００２１】  包装に表現するダンボール箱および包装紙のデザインは、平面、丸、四角、立方体、球体など表現方法は限定されることなくＱＲコードに印刷又はシールで貼ることのできる素材であれば、包装に使用する素材は包装する商品に適切な包装素材を選択し、紙、ダンボール箱、木製、スチール、布、ビニールおよびナイロン素材を含む樹脂製品など限定されない。
【００２２】  本発明で述べている包装とは物品個々の包装、包装貨物の内部の包装、包装貨物の外部の包装の３種類を示し、また、輸送を目的としたものを工業包装、販売を目的としたものを商業包装、さらに工業包装を梱包として広く意味するものである。
【図面の簡単な説明】
【００２３】
【図１】本発明の図１は、包装紙の両面に楽譜を刷り込み、所定箇所にＱＲコードが印刷又はシールで貼られた状態で商品を包装しようとしている一例図である。
【図２】本発明の図２は、包装のダンボール箱に前面に楽譜およびピアノ鍵盤が印刷された状態を示す一例図である。
【図３】本発明の図３は、包装の紙袋に前面に楽譜とピアノ鍵盤が印刷された状態を示す一例図である。
【図４】本発明の図４は、木箱で包装された荷物の所定箇所にＱＲコードが印刷又はシールで貼られた状態を示す一例図である。
【発明を実施するための形態】
【００２４】  本発明の図１は、包装紙の両面に楽譜を刷り込み、所定箇所にＱＲコードが印刷又はシールで貼られた状態を示す包装紙で商品を包もうとしている図であり、図２は、包装のダンボール箱に前面に楽譜およびピアノ鍵盤が印刷された状態を示す図で、図３は、包装の紙袋に前面に楽譜とピアノ鍵盤が印刷された状態を示す図で、図４は荷物が破損しないように厳重に木枠で包装された状態を示す図である。
【実施例１】
【００２５】  図１は、包装紙の一例図として、１はＱＲコードが印刷又はシールで貼られた状態、２は本発明の平面の包装紙である、３は包装紙で包まれる商品、４は楽譜が包装紙の裏と表の両面に印刷された状態を示した図である。
【実施例２】
【００２６】  図２は、同じく包装のダンボール箱の一例図として、５は本発明のダンボール箱であり、６の楽譜はダンボール前面に印刷された状態を示す、さらに、７はダンボール箱の上面にピアノ鍵盤が印刷された状態を示す、１はＱＲコードが印刷又はシールで貼られた状態を示した図である。
【実施例３】
【００２７】  図３は、同じく包装の紙袋に前面に楽譜とピアノ鍵盤が印刷された一例図として、８は紙袋であり、９の楽譜および１１のピアノ鍵盤が紙袋の前と後ろ、両サイドに渡り印刷され、１０は紙袋の持ち手部分、１はＱＲコードが印刷又はシールで貼られた状態を示した図である。
【実施例４】
【００２８】  図４は、１はＱＲコードが印刷又はシールで貼られた状態を示した図であり、１２は木箱で包装された荷物を示し、１３は荷物を破損しないように、さらに木枠で包装された状態を示す図である。
【産業上の利用可能性】
【００２９】本発明は、包装紙の二次元の平面から、音声および映像へと導く手段に活用できる着眼により、企業のＰＲのみならず、包まれた包装紙を開けなくても、世界から輸入若しくは輸出する包装商品をＱＲコードとの連動により中身確認が安心しできることになり、包装された中身の説明を、ＱＲコードに情報として法的に義務付けることに発展できれば、受け取り側も配送する側双方にとって、配送に関わる人や消費者のセキュリティーの面においても活用範囲は拡大すると考える。
【符号の説明】
【００３０】  １  ＱＲコードが印刷又はシールで貼られた状態
２  平面の包装紙
３  包装紙で包まれる商品
４  楽譜が包装紙の裏と表の両面に印刷された状態を示した図
５  立体的にした完成したダンボール箱の一例図
６  楽譜はダンボール前面に印刷された状態
７  ダンボール箱の上面にピアノ鍵盤が印刷された状態
８  紙袋
９  楽譜前と後ろ、両サイドに渡り印刷された状態
１０紙袋の持ち手部分
１１ピアノ鍵盤が紙袋の前と後ろに渡り印刷された状態
１２木箱包装された荷物
１３荷物を破損しないように木枠で包装された状態
【図１】
2014213944.tif 000003
【図２】
2014213944.tif 000004
【図３】
2014213944.tif 000005
【図４】
2014213944.tif 000006